(57)【特許請求の範囲】
【請求項１】
カバー（１０）と、前記カバー（１０）内に配置される二つ折り体（１１）とを含む、ロゼンジ剤（７）を収納する包装体であり、前記二つ折り体（１１）は、第１のブリスタプレート（３）を含む第１のフラップ（１５）と、第２のブリスタプレート（４）を含む第２のフラップ（１６）と、前記二つ折り体（１１）の第１のフラップ（１５）と前記二つ折り体（１１）の第２のフラップ（１６）との間に配置される背部（１７）とを含み；前記第１のブリスタプレート（３）および前記第２のブリスタプレート（４）は、フィルム（９）と、突出部（６）を有するベース（５）とをそれぞれ含み、各前記ロゼンジ剤（７）は、前記フィルム（９）によって閉じられる１つの前記突出部（６）のキャビティ内に配置され；前記カバー（１０）は、第１のフラップ（１２）と、第２のフラップ（１３）と、前記カバー（１０）の第１のフラップ（１２）と前記カバー（１０）の第２のフラップ（１３）との間に配置される背部（１４）とを含み；前記二つ折り体（１１）の前記背部（１７）は、前記カバー（１０）の前記背部（１４）上に固定され、したがって前記包装体が本のように構成される、前記包装体であって；
該包装体はカバー部材（２６）と二つ折り体部材（２７）とを含むケース（２）を含み、前記カバー部材（２６）は、前記カバーを形成し、前記第１のブリスタプレート（３）、前記第２のブリスタプレート（４）および二つ折り体部材（２７）は、前記二つ折り体（１１）を形成し；前記カバー部材（２６）の中間パネル（３０）は、前記カバー（１０）の前記背部（１４）を形成し、前記二つ折り体部材（２７）の中間パネル（５１）は、前記二つ折り体（１１）の前記背部（１７）を形成し、前記カバー部材（２６）の前記中間パネル（３０）の一辺（４３）は、ブリッジ（１８）によって、前記二つ折り体部材（２７）の前記中間パネル（５１）の一辺（６５）に結合されることを特徴とする、前記包装体。
【請求項２】
前記二つ折り体部材（２７）は、前記第１のブリスタプレート（３）を挟む２つのパネル（４９、５２）と、前記第２のブリスタプレート（４）を挟む２つのパネル（５０、５３）とを含むことを特徴とする、請求項１に記載の包装体。
【請求項３】
前記二つ折り体部材（２７）は、前記第１のブリスタプレート（３）が固定される単一のパネル（４９）と、前記第２のブリスタプレート（４）が固定される単一のパネル（５
０）とを含むことを特徴とする、請求項１に記載の包装体。
【請求項４】
前記包装体を閉じた構成に保つためのクロージャデバイス（２１）を含むことを特徴とする、請求項１〜３のいずれか１項に記載の包装体。
【請求項５】
前記ロゼンジ剤は、単位用量の医薬品（７）であることを特徴とする、請求項１〜３のいずれか１項に記載の包装体。
【請求項６】
請求項１〜５のいずれか１項に記載の包装体を得るためのブランクであって、前記包装体（１）のためのケース（２）を形成するように、
前記包装体（１）のカバー（１０）を形成するカバー部材（２６）であり、前記カバー（１０）の第１のフラップ（１２）を形成する第１のパネル（２８）と、前記カバー（１０）の第２のフラップ（１３）を形成する第２のパネル（２９）と、前記カバー（１０）の背部（１４）を形成する、前記第１のパネル（２８）と前記第２のパネル（２９）との間に配置される中間パネル（３０）とを含む、前記カバー部材（２６）と；
前記包装体（１）の二つ折り体（１１）を形成する二つ折り体部材（２７）であり、第１のブリスタプレート（３）を受け前記第１のブリスタプレート（３）と共に前記二つ折り体（１１）の第１のフラップ（１５）を形成する第１のパネル（４９）と、第２のブリスタプレート（４）を受け前記第２のブリスタプレート（４）と共に前記二つ折り体（１１）の第２のフラップ（１６）を形成する第２のパネルと、前記二つ折り体（１１）の背部（１７）を形成する、前記二つ折り体部材（２７）の前記第１のパネル（４９）と前記第２のパネル（５０）との間に配置される中間パネル（５１）とを含む、前記二つ折り体部材（２７）と；
前記カバー部材（２６）の前記中間パネル（３０）の一辺（４３）を前記二つ折り体部材（２７）の前記中間パネル（５１）の一辺（６５）に結合するブリッジ（１８）であり；第１の溝（８）および第２の溝（８）が、前記ブリッジ（１８）の両側に配置され前記カバー部材（２６）の前記第１のパネル（２８）と前記二つ折り体部材（２７）の前記第１のパネル（４９）との間および前記カバー部材（２６）の前記第２のパネル（２９）と前記二つ折り体部材（２７）の前記第２のパネル（５０）との間にそれぞれ形成される、前記ブリッジと：
を含むことを特徴とする、前記ブランク。
【請求項７】
前記第１の溝（８）および第２の溝（８）は、前記ブリッジ（１８）と同じ幅をそれぞれ有することを特徴とする、請求項６に記載のブランク。
【請求項８】
前記二つ折り体部材（２７）は、第３のパネル（５２）と、第４のパネル（５３）とをさらに含み、前記二つ折り体部材（２７）は、前記第１のパネル（４９）と前記第３のパネル（５２）との間に前記第１のブリスタプレート（３）を挟み、前記第２のパネル（５０）と前記第４のパネル（５３）との間に前記第２のブリスタプレート（４）を挟むように構成されることを特徴とする、請求項６または７に記載のブランク。
【請求項９】
前記二つ折り体部材（２７）は、主部材（４７）と、前記主部材（４７）と同様に構成される補足部材（４８）とを含み、前記第１のパネル（４９）および前記第２のパネル（５０）は、前記主部材（４７）に属し、前記第３のパネル（５２）および前記第４のパネル（５４）は、前記補足部材（４８）に属することを特徴とする、請求項８に記載のブランク。
【請求項１０】
前記第３のパネル（５２）は、前記第１のパネル（４９）の一辺（５６）に隣接する一辺（６８）を有し、前記第３のパネルの他の辺（６７、６９、７０）は、自由であり、前記第４のパネル（５３）は、前記第２のパネル（５０）の一辺（６０）に隣接する一辺（
７２）を有し、前記第４のパネルの他の辺（７１、７３、７４）は、自由であることを特徴とする、請求項８に記載のブランク。
【請求項１１】
前記二つ折り体部材（２７）は、前記第１のパネル（４９）、前記第２のパネル（５０）および前記中間パネル（５１）以外のパネルを含まないことを特徴とする、請求項６または７に記載のブランク。
【発明の詳細な説明】
【技術分野】
【０００１】
本発明は、錠剤、カプセルまたは硬ゼラチンカプセルの形態の単位用量の医薬品のようなロゼンジ剤を収納する包装体を取り上げる。
【背景技術】
【０００２】
単位用量の医薬品は、一般的に、複数の突出部を含むベースおよびフィルムによって形成されるブリスタプレート内に包装されることが知られている。各突出部は、単位用量の医薬品が配置されるキャビティを有し、フィルムで閉じられ、したがって各単位用量の医薬品は、それが配置されているキャビティ内に保持される。
【０００３】
ブリスタプレートから単位用量の医薬品を取り出すには、突出部に圧力を加え、それを変形させて単位用量の医薬品に作用を及ぼし、それをフィルムの方に向かって押しやりフィルムを引き裂き、単位用量の医薬品を回収することができる。
【０００４】
一般に、単位用量の医薬品は、単位用量の医薬品を含むいくつかのブリスタプレートが配置されるボックスに入れられて配送され販売される。
【０００５】
ブリスタプレートを含むボックスは、しばしば、大きく、取り扱うのにあまり便利でない。したがって、使用者の中には、ブリスタプレートを例えばハンドバッグまたはポケットに直接入れて持ち運ぶ人もいる。しかし、ブリスタプレートのフィルムは保護されていないので、それが間違って裂けてブリスタプレートから単位用量の医薬品の１つまたはそれ以上が飛び出してしまう。
【０００６】
取り扱いが容易で例えばハンドバッグまたはポケットに入れて輸送しやすく、ブリスタプレートが保護される様々な包装体がすでに提案されている。
【０００７】
したがって、特に、特許文献１、特許文献２および特許文献３により、本のように構成される、単位用量の医薬品を収納する包装体がすでに知られている。
【０００８】
そうした包装体は、カバーと、カバー内に配置される二つ折り体（ｄｉｐｔｙｃｈ）とを含む。
【０００９】
二つ折り体は、第１のブリスタプレートによって形成される第１のフラップと、第２のブリスタプレートによって形成される第２のフラップと、第１のフラップと第２のフラップとの間に配置される背部とを含む。
【００１０】
カバーは、第１のフラップと、第２のフラップと、第１のフラップと第２のフラップとの間に配置される背部とを含む。二つ折り体の背部は、カバーの背部に取り付けられる。
【００１１】
包装体を輸送するには、包装体を、二つ折り体の２つのフラップが互いに接し、カバーの第１のフラップが二つ折り体の第１のフラップに接し、カバーの第２のフラップが二つ折り体の第２のフラップに接する、閉じた構成に配置する。
【００１２】
包装体から単位用量の医薬品を取り出すには、包装体を開いた構成に配置し、そこで、二つ折り体の取り出し予定の単位用量の医薬品を収納するブリスタプレートを含むフラップを、二つ折り体の他方のフラップから離し、さらにカバーから離し、そして突出部に圧力を加えて単位用量の医薬品を取り出すことができる。
【先行技術文献】
【特許文献】
【００１３】
【特許文献１】ドイツ実用新案６９３０８９９
【特許文献２】ドイツ特許出願ＤＥ４４２９５０３
【特許文献３】フランス特許出願２７６４２７４
【発明の概要】
【発明が解決しようとする課題】
【００１４】
本発明の目的は、単純、便利かつ経済的なやり方でそうした包装体を得ることを可能にすることである。
【課題を解決するための手段】
【００１５】
この目的のため、カバーと前記カバー内に配置される二つ折り体とを含む、ロゼンジ剤を収納する包装体であり、前記二つ折り体は、第１のブリスタプレートを含む第１のフラップと、第２のブリスタプレートを含む第２のフラップと、前記第１のフラップと前記第２のフラップとの間に配置される背部とを含み；前記第１のブリスタプレートおよび前記第２のブリスタプレートは、フィルムと、突出部を有するベースとをそれぞれ含み、各前記ロゼンジ剤は、前記フィルムによって閉じられる１つの前記突出部のキャビティ内に配置され；前記カバーは、第１のフラップと、第２のフラップと、前記第１のフラップと前記第２のフラップとの間に配置される背部とを含み；前記二つ折り体の前記背部は、前記カバーの前記背部上に固定され、したがって前記包装体が本のように構成される、包装体であって；
カバー部材と二つ折り体部材とを含むケースを含み、前記カバー部材は、前記カバーを構成し、前記第１のブリスタプレート、前記第２のブリスタプレートおよび二つ折り体部材は、前記二つ折り体を形成し；前記カバー部材の中間パネルは、前記カバーの前記背部を形成し、前記二つ折り体部材の中間パネルは、前記二つ折り体の前記背部を形成し、前記カバー部材の前記中間パネルの一辺は、ブリッジによって、前記二つ折り体部材の前記中間パネルの一辺に結合されることを特徴とする、包装体が提案される。
【００１６】
本発明による包装体では、上述した従来の包装体とは反対に、二つ折り体のフラップは、二つ折り体の背部によって互いに接合されるブリスタプレートによって直接形成されるのではなく、従来の個々のブリスタプレートによって、またケースの二つ折り体部材によって形成される。
【００１７】
したがって、本発明による包装体は、背部によって互いに接合される特定のブリスタプレートの実装を必要とせず、ボール紙のような可撓性の柔軟な材料のブランクで作られるケースの二つ折り体の一部に従来のブリスタプレートが取り付けられる、という利点を提供する。
【００１８】
ブリッジによって二つ折り体の背部を形成する二つ折り体部材の中間パネルとカバーの背部を形成するカバー部材の中間パネルが結合されているので、本発明による包装体のカバー部材と二つ折り体部材は、別々の構成要素ではない。
【００１９】
それどころか、カバー部材と二つ折り体部材は、ブリッジによって、１つの同じ構成要素になるように接合されている。
【００２０】
したがって、第１のブリスタプレートおよび第２のブリスタプレートは別として、本発明による包装体を得るには、単一の構成要素だけで十分である。
【００２１】
本発明による包装体の有利な特徴によれば：
−  前記二つ折り体部材は、前記第１のブリスタプレートを挟む２つのパネルと、前記第２のブリスタプレートを挟む２つのパネルとを含む；
−  前記二つ折り体部材は、前記第１のブリスタプレートが固定される単一のパネルと、前記第２のブリスタプレートが固定される単一のパネルとを含む；および／または、
−  包装体は、前記包装体を閉じた構成に保つためのクロージャデバイスを含む。
【００２２】
別の態様により、本発明の他の目的は、上述のような包装体を得るためのブランクであって、前記包装体のためのケースを形成するように、
−  前記包装体のカバーを形成するカバー部材であって、前記カバーの第１のフラップを形成する第１のパネルと、前記カバーの第２のフラップを形成する第２のパネルと、前記カバーの背部を形成する、前記第１のパネルと前記第２のパネルとの間に配置される中間パネルとを含む、カバー部材と；
−  前記包装体の二つ折り体を形成する二つ折り体部材であって、第１のブリスタプレートを受け前記第１のブリスタプレートと共に前記二つ折り体の第１のフラップを形成する第１のパネルと、第２のブリスタプレートを受け前記第２のブリスタプレートと共に前記二つ折り体の第２のフラップを形成する第２のパネルと、前記二つ折り体の背部を形成する、前記二つ折り体部材の前記第１のパネルと前記第２のパネルとの間に配置される中間パネルとを含む、二つ折り体部材と；
−  前記カバー部材の前記中間パネルの一辺を前記二つ折り体部材の前記中間パネルの一辺に結合するブリッジであって；第１の溝および第２の溝が、前記ブリッジの両側に配置され前記カバー部材の前記第１のパネルと前記二つ折り体部材の前記第１のパネルとの間および前記カバー部材の前記第２のパネルと前記二つ折り体部材の前記第２のパネルとの間にそれぞれ形成される、ブリッジと：
を含むことを特徴とする、ブランクである。
【００２３】
有利な特徴によれば、前記溝は、前記ブリッジと同じ幅をそれぞれ有する。
【００２４】
第１の有利な実施形態では、前記二つ折り体部材は、第３のパネルと、第４のパネルとをさらに含み、前記二つ折り体部材は、前記第１のパネルと前記第３のパネルとの間に前記第１のブリスタプレートを挟み、前記第２のパネルと前記第４のパネルとの間に前記第２のブリスタプレートを挟むように構成される。
【００２５】
この第１の実施形態の第１の実行態様では、前記二つ折り体部材は、主部材と、前記主部材と同様に構成される補足部材とを含み、前記第１のパネルおよび前記第２のパネルは、前記主部材に属し、前記第３のパネルおよび前記第４のパネルは、前記補足部材に属する。
【００２６】
この第１の実施形態の第２の実行態様では、前記第３のパネルは、前記第１のパネルの一辺に隣接する一辺を有し、前記第３のパネルの他の辺は、自由であり、前記第４のパネルは、前記第２のパネルの一辺に隣接する一辺を有し、前記第４のパネルの他の辺は、自由である。
【００２７】
簡素化に有利な第２の実施形態では、前記二つ折り体部材は、前記第１のパネル、前記第２のパネルおよび前記中間パネル以外のパネルを含まない。
【００２８】
続いて、添付の図面を参照して、次に、本明細書の以下において例示的かつ非限定的に示される例示的な実施形態の詳細な説明によって本発明を説明する。
【図面の簡単な説明】
【００２９】
【図１】開いた構成にある本発明による包装体の非常に概略的な斜視図である。
【図２】閉じた構成にあるこの包装体の非常に概略的な正面図である。
【図３】図１および図２に示される包装体を得るためのブランクの平面図である。
【図４】ブランクの変形形態の、図３と同様の図である。
【図５】ブランクの変形形態の、図３と同様の図である。
【発明を実施するための形態】
【００３０】
図面では、折り目は破線で示されている。
【００３１】
図１には、開いた構成にある本発明による包装体１が示されている。
【００３２】
包装体１は、カバー１０と、カバー１０内に配置される二つ折り体１１とを含む。
【００３３】
カバー１０は、第１のフラップ１２と、第２のフラップ１３と、第１のフラップ１２と第２のフラップ１３との間に配置される背部１４とを含む。
【００３４】
二つ折り体１１は、ブリスタプレート３を含む第１のフラップ１５と、ブリスタプレート４を含む第２のフラップ１６と、第１のフラップ１５と第２のフラップ１６との間に配置される背部１７とを含む。
【００３５】
ブリスタプレート３、４は、フィルム９と、複数の突出部６を含むベース５とをそれぞれ含む。各突出部６は、単一用量の医薬品７が配置されるキャビティを有し、フィルム９で閉じられており、こうして各単一用量の医薬品７が突出部９内に保持される。
【００３６】
単一用量の医薬品７は、例えば、錠剤、カプセルまたは硬ゲルカプセルである。
【００３７】
二つ折り体１１の第１のフラップ１５には、複数の開口部１９があり、各開口部からはプレート３の突出部６のうちの１つが出現する。
【００３８】
二つ折り体１１の第２のフラップ１６には、複数の開口部１９があり、各開口部からはプレート４の突出部６のうちの１つが出現する。
【００３９】
フラップ１５、１６については、本明細書の以下により詳細に説明する。
【００４０】
二つ折り体１１の背部１７の寸法は、カバー１０の背部１４の寸法と同様である。
【００４１】
背部１７および背部１４は、カバー１０の内側において背部１７が背部１４を覆うかたちで重ねられる。
【００４２】
背部１７および背部１４は、ここでは接着によって、互いに取り付けられる。
【００４３】
ブリッジ１８によって、二つ折り体１１の背部１７の短い辺のうちの１つが、カバー１０の背部１４の対応する短い辺に結合されている。
【００４４】
本明細書の以下に説明するように、ブリッジ１８は、包装体１を製造する際に役に立つ。
【００４５】
二つ折り体１１の第１のフラップ１５および第２のフラップ１６は、同様の寸法を有し、その長い辺のそれぞれの１つのあたりで背部１７に対してそれぞれ連接されている。同様に、カバー１０の第１のフラップ１２および第２のフラップ１３は、同様の寸法を有し、そのそれぞれの長い辺のうちの１つのあたりで背部１４に対してそれぞれ連接されている。
【００４６】
したがって、全体的には、包装体１は、本のような構成になっている。
【００４７】
図１に示されるような開いた構成では、二つ折り体１１は広げられた位置にあり、そこでは第１のフラップ１５および第２のフラップ１６が互いに離れている。したがって、プレート３の突出部６とプレート４の突出部６も離れている。したがって、使用者は、各プレート３、４の各突出部６にアクセスすることができる。
【００４８】
図２には、閉じた構成にある包装体１が示されている。
【００４９】
この閉じた構成では、二つ折り体１１は閉位置にあり、そこでは第１のフラップ１５が第２のフラップ１６に可能な限り近づいている。したがって、プレート３の突出部６は、プレート４の突出部６にそれぞれ接触している。
【００５０】
この閉じた構成では、カバー１０の第１のフラップ１２は、二つ折り体１１の第１のフラップ１５に接触し、カバー１０の第２のフラップ１３は、二つ折り体１１の第２のフラップ１６に接触している。
【００５１】
包装体１は、クロージャデバイス２１によってその閉じた構成に保たれる。
【００５２】
クロージャデバイス２１は、ここでは、スリット２３を有する横方向フラップ２２と、横方向フラップ２２のスリット２３に挿入されるように構成される舌部２４とを有する。
【００５３】
閉じた構成では、舌部２４はスリット２３に挿入される。
【００５４】
閉じた構成にすれば、包装体１を、例えばハンドバッグまたはポケットに入れて輸送することが可能になる。
【００５５】
閉じた構成では、ブリスタプレート３、４の各フィルム９は、カバー１０の第１のフラップ１２または第２のフラップ１３によって覆われるので、保護される。
【００５６】
包装体１から単位用量の医薬品７を取り出すには、スリット２３から舌部２４を抜いてクロージャデバイス２１をロック解除し、パッケージ１を開いた構成に切り換え、突出部６のうちの１つに圧力を加えて単位用量の医薬品７をフィルム９の方に向かって押しやり、フィルム９を単位用量の医薬品７で一直線に引き裂き、単位用量の医薬品７をキャビティから出して回収することができる。
【００５７】
包装体１は、ブリスタプレート３およびブリスタプレート４と、ボール紙のような柔軟かつ可撓性のシートのかたちの材料で作られたケース２との相関によって形成される。
【００５８】
ケース２は、カバー部材２６と二つ折り体部材２７とを含む。
【００５９】
包装体１のカバー１０は、ケース２のカバー部材２６によって形成される。包装体１の二つ折り体１１は、ケース２の二つ折り体部材２７、ブリスタプレート３およびブリスタプレート４によって形成される。
【００６０】
次に、図３を参照して、ケース２を形成し包装体１を得ることを可能にするブランク２５について説明する。
【００６１】
一般的に、ブランク２５を折って接着すると包装体１のケース２になる。
【００６２】
したがって、ケース２についてもブランク２５についても同じ用語および同じ数値参照を用いる。
【００６３】
カバー部材２６は、第１のカバーパネル２８と、第２のカバーパネル２９と、第１のカバーパネル２８と第２のカバーパネル２９との間に配置される中間カバーパネル３０とを含む。
【００６４】
ケース２において、第１のカバーパネル２８は、第１のカバーフラップ１２を形成し、第２のカバーパネル２９は、第２のカバーフラップ１３を形成し、中間カバーパネル３０は、カバー背部１４を形成する。
【００６５】
第１のカバーパネル２８は、それぞれ第１の辺３１と第２の辺３２が対向し、第３の辺３３と第４の辺３４が対向する４つの辺によって形成される長方形の周辺部を有する。第２の辺３２は、丸くされた２つの角３５を介して第３および第４の辺３３、３４につながっている。
【００６６】
第２のカバーパネル２９は、それぞれ第１の辺３６と第２の辺３７が対向し、第３の辺３８と第４の辺３９が対向する４つの辺によって形成される長方形の周辺部を有する。第２の辺３７は、丸くされた２つの角３５を介して第３および第４の辺３８、３９につながっている。
【００６７】
中間カバーパネル３０は、それぞれ第１の辺４０と第２の辺４１が対向し、第３の辺４２と第４の辺４３が対向する４つの辺によって形成される長方形の周辺部を有する。
【００６８】
ここで、第１のカバーパネル２８の第１の辺３１および中間カバーパネル３０の第１の辺４０は、隣接しており、折り目によって形成される。
【００６９】
同様に、第２のカバーパネル２９の第１の辺３６および中間カバーパネル３０の第２の辺４１は、隣接しており、折り目によって形成される。
【００７０】
カバー部材２６は、第１のカバーパネル２８の第２の辺３２から延びる舌部２４と、第２のカバーパネル２９の第２の辺３７から延びる横方向フラップ２２を形成する横方向パネル４６とをさらに含む。
【００７１】
二つ折り体部材２７は、二つ折り体主部材４７と、二つ折り体補足部材４８とを含む。
【００７２】
二つ折り体主部材４７は、第１の二つ折り体パネル４９と、第２の二つ折り体パネル５０と、第１の二つ折り体パネル４９と第２の二つ折り体パネル５０との間に配置される第１の中間二つ折り体パネル５１とを含む。
【００７３】
二つ折り体補足部材４８は、第３の二つ折り体パネル５２と、第４の二つ折り体パネル５３と、第３の二つ折り体パネル５２と第４の二つ折り体パネル５３との間に配置される第２の中間二つ折り体パネル５４とを含む。
【００７４】
第１の二つ折り体パネル４９は、それぞれ第１の辺５５と第２の辺５６が対向し、第３の辺５７と第４の辺５８が対向する４つの辺によって形成される長方形の周辺部を有する。第２の辺５６は、丸くされた２つの角３５を介して第３および第４の辺５７、５８につながっている。
【００７５】
第１の二つ折り体パネル４９は、ブリスタプレート３の突出部６のうちの１つを受けるようにそれぞれ構成される複数の開口部１９を含む。
【００７６】
第２の二つ折り体パネル５０は、それぞれ第１の辺５９と第２の辺６０が対向し、第３の辺６１と第４の辺６２が対向する４つの辺によって形成される長方形の周辺部を有する。第２の辺６０は、丸くされた２つの角３５を介して第３および第４の辺６１、６２につながっている。
【００７７】
第２の二つ折り体パネル５０は、ブリスタプレート４の突出部６のうちの１つを受けるようにそれぞれ構成される複数の開口部１９を含む。
【００７８】
第１の中間二つ折り体パネル５１は、それぞれ第１の辺６３と第２の辺６４が対向し、第３の辺６５と第４の辺６６が対向する４つの辺によって形成される長方形の周辺部を有する。
【００７９】
ここで、第１の二つ折り体パネル４９の第１の辺５５および第１の中間二つ折り体パネル５１の第１の辺６３は、隣接しており、折り目によって形成される。
【００８０】
同様に、第２の二つ折り体パネル５０の第１の辺５９および第１の中間二つ折り体パネル５１の第２の辺６４は、隣接しており、折り目によって形成される。
【００８１】
ブリッジ１８は、中間カバーパネル３０の第４の辺４３と中間二つ折り体パネル５１の第３の辺６５との間に延びる。
【００８２】
辺４３と辺６５との間の中間において、ブリッジ１８は、折れ目を有する。
【００８３】
ブリッジ１８は、カバー部材２６と二つ折り体部材２７を結合する唯一の材料部分である。２つの溝８は、ブリッジ１８と同じ幅であり、ブリッジ１８の両側にある。
【００８４】
したがって、第１のカバーパネル２８は、第１のカバーパネル２８の第４の辺３４および第１の二つ折り体パネル４９の第３の辺５７によって長手方向にそれぞれ境界が定められる溝８によって、第１の二つ折り体パネル４９から分離されている。
【００８５】
同様に、第２のカバーパネル２９は、第２のカバーパネル２９の第４の辺３９および第２の二つ折り体パネル５０の第３の辺６１によって長手方向にそれぞれ境界が定められる他方の溝８によって、第２の二つ折り体パネル５０から分離されている。
【００８６】
第３の二つ折り体パネル５２は、それぞれ第１の辺６７と第２の辺６８が対向し、第３の辺６９と第４の辺７０が対向する４つの辺によって形成される長方形の周辺部を有する。第２の辺６８は、丸くされた２つの角３５を介して第３および第４の辺６９、７０につながっている。
【００８７】
第３の二つ折り体パネル５２は、ブリスタプレート３の突出部６のうちの１つを閉じるフィルム９の一部と位置合わせされるようにそれぞれ構成される複数の開口部８０を含む。
【００８８】
第４の二つ折り体パネル５３は、それぞれ第１の辺７１と第２の辺７２が対向し、第３の辺７３と第４の辺７４が対向する４つの辺によって形成される長方形の周辺部を有する。第２の辺７２は、丸くされた２つの角３５を介して第３および第４の辺７３、７４につながっている。
【００８９】
第４の二つ折り体パネル５３は、ブリスタプレート４の突出部６のうちの１つを閉じるフィルム９の一部と位置合わせされるようにそれぞれ構成される複数の開口部８０を含む。
【００９０】
第２の中間二つ折り体パネル５４は、それぞれ第１の辺７５と第２の辺７６が対向し、第３の辺７７と第４の辺７８が対向する４つの辺によって形成される長方形の周辺部を有する。
【００９１】
ここで、第３の二つ折り体パネル５２の第１の辺６７および第２の中間二つ折り体パネル５４の第１の辺７５は、隣接しており、折り目によって形成される。
【００９２】
同様に、第４の二つ折り体パネル５３の第１の辺７１および第２の中間二つ折り体パネル５４の第２の辺７６は、隣接しており、折り目によって形成される。
【００９３】
ここで、第１の二つ折り体パネル４９の第４の辺５８および第３の二つ折り体パネル５２の第３の辺６９は、隣接しており、折り目によって形成され；第１の中間二つ折り体パネル５１の第４の辺６６および第２の中間二つ折り体パネル５４の第３の辺７７は、隣接しており、折り目によって形成され；第２の二つ折り体パネル５０の第４の辺６２および第４の二つ折り体パネル５３の第３の辺７３は、隣接しており、折り目によって形成される。
【００９４】
辺５８、６９、６６、７７、６２、７３は、一直線にあり、二つ折り体主部材４７と二つ折り体補足部材４８との間に位置する同じ折り目によって形成される。
【００９５】
全体的に、二つ折り体補足部材４８は、二つ折り体主部材４７に類似している。
【００９６】
したがって、第３の二つ折り体パネル５２、第２の中間二つ折り体パネル５４および第４の二つ折り体パネル５３の寸法は、第１の二つ折り体パネル４９、第１の中間二つ折り体パネル５１および第２の二つ折り体パネル５０の寸法とそれぞれ類似している。
【００９７】
次に、ブランク２５およびブリスタプレート３、４から包装体１を得る方法を以下に説明する。
【００９８】
ブリスタプレート３、４の突出部６を第１の二つ折り体パネル４９の開口部１９および第２の二つ折り体パネル５０の開口部１９に通すように、ブリスタプレート３、４を第１の二つ折り体パネル４９上および第２の二つ折り体パネル５０上にそれぞれ配置する。
【００９９】
二つ折り体補足部材４８を、辺５８、６９、７７、６２、７３を形成する折り目に沿って二つ折り体主部材４７の上に折り返す。
【０１００】
第３の二つ折り体パネル５２を、ここでは接着によって、第１の二つ折り体パネル４９に取り付ける。こうして、ブリスタプレート３は、第１の二つ折り体パネル４９と第３の二つ折り体パネル５２との間に挟まれる。そして第１の二つ折り体フラップ１５が形成される。
【０１０１】
ブリスタプレート４についても同様に行い、それによってブリスタプレート４は第２の二つ折り体パネル５０と第４の二つ折り体パネル５３との間に挟まれる。そして第２の二つ折り体フラップ１６が形成される。
【０１０２】
第２の中間パネル５４を、ここでは接着によって、第１の中間パネル５１に取り付ける。第１の中間二つ折り体パネル５１と第２の中間二つ折り体パネル５４を組み付け、二つ折り体背部１７を形成する。
【０１０３】
次いで、二つ折り体部材２７をブリッジ１８に沿って、ここではブリッジ１８の中央に設けられた折り目に沿ってカバー部材２６の上に折り返す。
【０１０４】
二つ折り体背部１７を、ここでは接着によって、中間カバーパネル３０に取り付け、カバー背部１４を形成する。
【０１０５】
そして、包装体１は、開いた構成になる。
【０１０６】
包装体１を閉じた構成にするには、第１の二つ折り体フラップ１５および第２の二つ折り体フラップ１６を二つ折り体背部１７に対して折り、第１のカバーフラップ１２および第２のカバーフラップ１３をカバー背部１４に対して折る。
【０１０７】
ブランク２５において、カバー部材２６および二つ折り体部材２７は、別個の構成要素ではなく；それどころか、これらの部材がブリッジ１８によって１つの同じブランク２５になるように接合されていることに注目されたい。
【０１０８】
したがって、ブリスタプレート３およびブリスタプレート４は別として、包装体１を得るには、１つの構成要素（ブランク２５）だけで十分である。
【０１０９】
さらに、カバー部材２６と二つ折り体部材２７とを結合するブリッジ１８によってそれらの相対的な位置決めが維持されるので、カバー部材２６と二つ折り体部材２７との間に相対的な位置決めの必要がないことにも注目されたい。
【０１１０】
最後に、２つの溝８があるので、ブリッジ１８は、カバー部材２６の中間パネル３０と二つ折り体部材２７の中間パネル５１だけを（したがって、包装体１で言うと、カバー１０の背部１４の短い一辺だけを二つ折り体１１の背部１７の短い一辺に）結合することに注目されたい。その結果、ブランク２５は、カバー部材２６と二つ折り体部材２７との間の結合だけでなく、カバー１０のフラップの形成に使用されるパネルと二つ折り体１１のフラップの形成に使用されるパネルとの間に不可欠な独立性も提供する。
【０１１１】
次に、図４を参照して、第３の二つ折り体パネル５２および第４の二つ折り体パネル５３が、二つ折り体主部材４７に類似する二つ折り体補足部材４８に属するのではなく、第１の二つ折り体パネル４９および第２の二つ折り体パネル５０に横方向にそれぞれ取り付けられるということ以外は図３に示されるブランク２５に類似しているブランク２５の一変形形態について以下に説明する。
【０１１２】
図４に示されるブランク２５の二つ折り体部材２７において、第１の二つ折り体パネル４９の第２の辺５６および第３の二つ折り体パネル５２の第２の辺６８は、隣接しており、折り目によって形成される。第３の二つ折り体パネル５２の第１の辺６７、第３の辺６９および第４の辺７０は、自由である。
【０１１３】
同様に、第２の二つ折り体パネル５０の第２の辺６０および第４の二つ折り体パネル５３の第２の辺７２は、隣接しており、折り目によって形成される。第４の二つ折り体パネル５３の第１の辺７１、第３の辺７３および第４の辺７４は、自由である。
【０１１４】
図４に示されるブランク２５およびブリスタプレート３、４からパッケージ１を得ることは、第３の二つ折り体パネル５２および第４の二つ折り体パネル５３を第１の二つ折り体パネル４９および第２の二つ折り体パネル５０の上にそれぞれ個別に折り返すこと、ならびにここでは存在しない中間パネル５４について何もアクションを実行する必要がないこと以外は、図３に示されるブランク２５からパッケージ１を得ることに類似している。
【０１１５】
したがって、得られる包装体１において、二つ折り体１１の背部１７は、第１の中間二つ折り体パネル５１だけで形成される。
【０１１６】
図５に示されるブランク２５の変形形態では、二つ折り体部材２７は、第１の二つ折り体パネル４９と、第２の二つ折り体パネル５０と、第１の中間二つ折り体パネル５１だけしか含まない。
【０１１７】
包装体１を得るには、ブリスタプレート３を第１の二つ折り体パネル４９に接着し、ブリスタプレート４を第２の二つ折り体パネル５に接着し、二つ折り体部材２７をカバー部材２６の上に折り返し、第１の中間二つ折り体パネル５１を、ここでも接着によって、中間カバーパネル３０に取り付ける。
【０１１８】
図示されない変形形態では、ケース２の形成に使用されるブランク２５は、例えば、図３と同じ構造であるが第２の中間二つ折り体パネル５４がない；ブリスタプレート３の突出部６およびブリスタプレート４の突出部６がオフセットされるように、第１の二つ折り体パネル４９の開口部１９および第２の二つ折り体パネル５０の開口部１９（必要に応じて、同様に、第３の二つ折り体パネル５２の開口部８０および第４の二つ折り体パネル５３の開口部８０）がオフセットされる；ならびに／または、クロージャデバイス２１が、例えば２４のような舌部を２つと２２のようなフラップを２つ含むように別様に形成されるかたちで、別様に構成される。
【０１１９】
一変形形態として、単位用量の医薬品７は、他のロゼンジ剤、例えば、補助食品錠剤、チューインガムのかけらまたは発泡性の漂白剤ペレットに取って代わられる。
【０１２０】
多数の他の変形形態は、状況次第で可能であり、この点において、本発明は記述され描写された例に限定されないことが想起される。
【図１】
0006435326.tif 000002
【図２】
0006435326.tif 000003
【図３】
0006435326.tif 000004
【図４】
0006435326.tif 000005
【図５】
0006435326.tif 000006